(57)【要約】      （修正有）【課題】書替え信号とノイズ等の不要な信号を区分し、安定した書替え画像信号として判定し自動的に取り込む事ができるようにする。【解決手段】入力される画像データを常時比較し、一定期間変化が無いことを判定した場合、書替え画像としてデータを記憶装置に保管し表示素子の表示内容を書替える。判定を確実に行うために画像データの一部に書替えるべきデータであることがわかるようにしるしを付与する。また、画面を書替える際には変化した部分だけを検知しこの部分だけを書替えると画面全体を書替えるより短い時間で書替えができる。【選択図】図１
2010107924.tif 000002
【特許請求の範囲】
【請求項１】
記憶型表示装置で画像信号が入力された時そのデータが新しく入力されたかを認識しデータが一定期間変化しない事を確認して書替え信号のデータであると判断し自動的に表示画面を書替える機能と画像信号のデータに書替え信号のデータである事を示すしるしを付与して書替え信号のデータである事の判断を確実にかつ容易にできる機能を持たせる。
【請求項２】
記憶型表示装置で現在の表示画像のデータと新しく書替えようとする画像のデータを比較し変化部分のデータだけを取り出し表示素子の該当する領域だけの書替えを行う事で表示時間を短縮する。
【請求項３】
画面書替え時間の長い記憶型表示装置で請求項２の機能により表示装置の設定状態を画面の一部の領域に表示させて内容を変化させると同時に画面状態の設定結果の画面を一部の領域に表示させ結果確認と再設定を短時間で実施できる機能、画面上に操作対象を示す矢印等の小さな図形の表示を短時間で行える機能、１枚の画面の中の１個または複数個の小さな領域の表示内容を短時間で変化させる機能を持たせる。
【発明の詳細な説明】
【技術分野】
【０００１】本発明は記憶型表示装置の画面書替方法に関する。
【背景技術】
【０００２】記憶型表示装置は画面表示の書替え速度が遅いことが特徴で高速で変化する入力信号から必要な信号を選ぶ事が必要になる。リアルタイムで常に必要な安定した画像信号だけを取り込む。
表示装置として画面上で画面の表示状態を調整する機能が必要になる。
【発明が解決しようとする課題】
【０００３】書替え速度が遅いのでリアルタイムで入力されるビデオ信号を表示する事ができず記憶回路に記憶させて表示素子の書替え速度に合わせて表示を書替える事が必要になる。
安定した画像信号を判定し確実に取り込む事が必要になる。
表示素子の書替え速度が遅く１枚の画面を書替えるのに時間がかかるので画面の一部に調整内容、結果を表示させて装置の調整、設定を行う場合に書替え時間が長く操作者にストレスがかかる。或いは表示内容を変化させて連続的に画面を切り替える場合は長い時間の切替え周期になる。
【課題を解決する手段】
画像信号が入力された時入力データを現在記憶回路に保管しているデータと常時比較し新しいデータと認識し、そのデータが一定期間変化の無いことを判定した場合、書替え画像としてデータを記憶装置に保管し表示素子の表示内容を書替える。判定を確実に行うために画像データの一部に書替えるべきデータであることがわかるようにしるしを付与する。
また、画面を書替える際には変化した部分だけを検知しこの部分だけを書替えると画面全体を書替えるより短い時間で書替えができる。
【０００４】装置に画像信号が入力されると入力したデータと保管されているデータと比較し新しいデータ入力を認識させる。
【０００５】新しく入力される画像信号のデータを記憶回路に一時保管し一定期間、継続して入力されるデータと比較し変化がないと判断できた時にこの画像データを新しい正規の書替えデータとする。一定期間、画像データを比較するのでノイズ等の周期性のない信号は書替え信号でないと判断される。
【０００６】記憶回路に保管された画像データを表示素子書替え速度で読み出し、表示素子へ転送する。
【０００７】また、書替え信号である事を示すしるしを付与した場合はこのしるしを検知する事で書き換え信号である事が容易に判断できるので直接新しい書き換え信号として記憶回路に保管する事もできる。或いは画像データの変化を確認する期間を短くする事も可能となる。
しるしを付与する事で書替え信号である事の判断の信頼度が上がる。
【０００８】画面の中の一部だけを変化させる場合は現在表示している画像データと入力される画像データを比較し変化部分のデータだけを取り出し現在表示している画像の保管データの該当部分と入れ替える。
【０００９】表示素子への書替えは記憶回路から変化部分の画像データを表示素子の書替え速度で読み出し表示素子の該当領域だけを書替える。
【００１０】書替え時間はほぼ面積で決まるので変化する領域が画面全体の２５分の１であれば時間も２５分の１になる。
１枚の画面を書替えるのに１５秒かかる場合に変化する領域だけは０．６秒で書替えできる事になる。
【００１１】画面上で表示装置の設定状態を調整する機能、通常ＯＳＤ（オンスクリーンデマンド）という機能やこれにより設定した画面状態を画面の一部の小さな領域に表示させる場合、或いは画面上に操作対象を示す小さな図形を表示させる場合には画面の変化を検知しこの部分だけを短い時間で書替える事が可能になり書替え時間の長い記憶型表示装置でもＯＳＤ機能をストレスなく実現する事が可能となる。
【００１２】画面上で１個または複数個の変化部分を設定した複数枚の画面を切り替えるときに画面全体を書替えると時間が長くなるが変化部分を検出しこの部分だけを書替えることで書替え時間を短くできる。書替えが可能な記憶型表示装置では何枚かの画面を長い周期で簡単に切り替える事に特徴がある。一方、短い周期で書替えるときは書替えにかかる時間が長く１５秒位は表現価値の低い書替え途中の画面を見る事になる。
変化部分だけを書替えると書替え時間が短くなり書替え途中の画面が見えにくくなり表現力の高い画面を表示できる。
【発明の効果】
【００１３】入力される信号が書替え信号のデータであるかを判定し表示素子を自動的に書替える。
これによりノイズ等の不要な信号で表示素子を書替える事を防止できる。
画像信号に書替え信号のデータであるしるしを付与する事で書替え判断の信頼度を高める事ができる。
入力される画像データで変化する部分だけを認識し表示素子のこの部分だけを書替える事で画像書替え時間を短縮する事ができる。
これによりＯＳＤ表示、設定した確認画面表示、操作対象表示の小さな図形の様な小さな領域の表示書替え時などで書替え時間を大幅に短縮でき操作者の作業効率の改善ができる。
また表示された画面の一部だけを早い時間で書替える事で画面の認識度を高める事ができる。
【発明の形態】
【００１４】画像信号の入力回路、データ記憶回路、データ比較判定回路、表示インターフェース回路、表示インターフェース判定回路から構成され入力されている画像信号データを一定期間比較し、書替え信号であるかの判断、或いは画面の一部だけが変化しているかの判断を行い画面全体の書替えを行う、或いは画面の一部を書替えができる構成である。
【図面の簡単な説明】
【００１５】
【図１】：入力画面信号を書替え信号と判断して自動で画像データを取り込み表示素子を書替えるフローチャート
【図２】：画像データの変化した場合に変化部分だけを書替えるフローチャート
【図３】：入力画面信号を書替え信号と判断して自動で画像データを取り込み表示素子を書替える回路ブロック構成
【図４】：画像データの変化した場合に変化部分だけを書替える回路ブロック構成
【図５】：記憶型表示装置の画面でＯＳＤ（画面上で装置設定状態を調整する）とＯＳＤ内に設定した画面状態の表示結果を示す小さな領域を設けた状態と表示素子ドライブ回路
【符号の説明】
１１：表示装置の表示素子全体の画面領域
１２：ＯＳＤの小さな領域
１３：設定状態を記載する領域或いは文字列のＡ
１４：設定状態を記載する領域或いは文字列のＢ
１５：設定した画面表示の結果を示す小さな領域（ＯＳＤ内に配置）
１６：表示素子の横幅
１７：表示素子の縦幅
１８：ＯＳＤ領域の横幅
１９：ＯＳＤ領域の縦幅
２０：書替え信号データ（変化部分）
２１：信号データ表示素子ドライブデータ変換回路
２２：横方向電極ドライブ変換データ出力
２３：表示素子横方向電極ドライバ回路
２４：表示素子横方向ドライバ電極
２５：縦方向電極ドライブ変換データ出力
２６：表示素子縦方向電極ドライバ回路
２７：表示素子縦方向ドライバ電極
【図１】
2010107924.tif 000003
【図２】
2010107924.tif 000004
【図３】
2010107924.tif 000005
【図４】
2010107924.tif 000006
【図５】
2010107924.tif 000007